(57)【要約】【課題】コネクタに取付けられていない電線をしっかりと位置決め保持するための電線保持具を、比較的簡易かつ低コストで得ること。【解決手段】電線保持具１０は、電線受部１４を有する電線保持本体部１２と、弾性シート部材２０とを備える。電線保持本体部１２は、基部１５と、間隔をあけて並列状に延びるように基部１５に突設された一対の棒状部１６とを有する部材である。弾性シート部材２０は、一対の棒状部１６それぞれに対応する挿入孔列２２，２４を有する部材である。一対の棒状部１６を対応する挿入孔列２２，２４の各挿入孔２２ｈ，２４ｈに刺し通すようにして、弾性シート部材２０を電線受部１４に取付ける。【選択図】図１
0003123973.tif 000002
【実用新案登録請求の範囲】
【請求項１】
電線を保持するための電線保持具であって、
基部と、間隔をあけて並列状に延びるように前記基部に突設された一対の棒状部とを有する電線受部と、
前記一対の棒状部の幅寸法よりも幅広な板状に形成され、前記一対の棒状部に対応する各直線状部分に沿って、前記棒状部を挿入可能な挿入孔を複数有する挿入孔列が設けられると共に、前記各挿入孔列間に切込み部が形成された弾性シート部材と、
を備え、
前記一対の棒状部をそれぞれに対応する挿入孔列の各挿入孔に刺し通すようにして、前記弾性シート部材が前記電線受部に取付けられた、電線保持具。
【請求項２】
請求項１記載の電線保持具であって、
前記切込み部の外側端部は、外方に向けて順次拡開する電線挿入ガイド部を有している、電線保持具。
【請求項３】
請求項１又は請求項２記載の電線保持具であって、
前記一対の棒状部のうち少なくとも一方は、非円形断面形状に形成され、
非円形断面形状を有する前記棒状部が挿入される前記各挿入孔のうち少なくとも一つは、非円形孔形状に形成されている、電線保持具。
【請求項４】
弾性を有する板状部材に形成され、一対の直線状部分に沿って挿入孔を複数有する挿入孔列が設けられると共に、前記各挿入孔列間に切込み部が形成された、電線保持具用の弾性シート部材。
【考案の詳細な説明】
【技術分野】
【０００１】
この考案は、例えば自動車用のワイヤーハーネスを組立てる際に、電線を一定位置に保持するための技術に関する。
【背景技術】
【０００２】
自動車等のワイヤーハーネスの組立は、次のようにしてなされている。すなわち、車両におけるワイヤーハーネス配索経路を、組立図板や組立フレーム上にハーネス組立経路として表現し、そのハーネス組立経路に沿って適宜位置に電線保持具を設ける。そして、複数の電線を電線保持具により保持させてハーネス組立経路に沿って配設する。この状態で、各電線をテープ等の結束具を用いて結束したり、電線の端部にコネクタを取付ける等する。これにより、ワイヤーハーネスが組立てられる。
【０００３】
上記ワイヤーハーネスの組立で用いられる電線保持具としては、略Ｕ字状に形成された保持部を有するものがある。このような電線保持具では、コネクタ付の複数の電線端末を保持部の略Ｕ字状部分内に配設すれば、コネクタを保持部に引っ掛けるようにして複数の電線端末を載置状に支持しながら配索することができる。このため、コネクタ付の複数の電線端末を所定位置に保持するという点で優れている。また、略Ｕ字状部分内に比較的多数の電線を挿入配置することができるため、比較的多数の電線を保持するという点でも優れている。
【０００４】
しかしながら、上記のような電線保持具では、コネクタが取付けられていない電線端末に関しては、該電線端末を保持部の略Ｕ字状部分内に配索してもその保持部への引っ掛かりを期待できないので、保持部の略Ｕ字状部分に保持しながら配索することはできないという問題がある。
【０００５】
そこで、特許文献１に開示のように、切込を設けたゴム板を略Ｕ字状の枠部で挟込むように保持した支持具が提案されている。この支持具は、電線をゴム板の切込で挟込むようにして支持するため、コネクタが取付けられていない電線端末でもしっかりと位置決め保持するという点で優れている。
【０００６】
【特許文献１】特開平０８−１７２７０号公報
【考案の開示】
【考案が解決しようとする課題】
【０００７】
しかしながら、特許文献１に開示の支持具は、コネクタが取付けられていない電線端末を保持するのに適した専用品であるため、略Ｕ字状に形成された保持部を有する電線保持具とは全く別のものとして準備する必要がある。つまり、ワイヤーハーネスを組立てるにあたって、略Ｕ字状に形成された保持部を有する電線保持具と、特許文献１に開示されたような支持具とを別々に準備し、これらを区別してハーネス組立経路に沿って配設する必要がある。このため、ワイヤーハーネス組立具の組立て煩雑化や、高コスト化等を招いていた。
【０００８】
そこで、本考案は、コネクタが取付けられていないような電線をもしっかりと位置決め保持するための電線保持具を、比較的簡易かつ低コストで得ることを目的とする。
【課題を解決するための手段】
【０００９】
この発明に係る電線保持具は、電線を保持するための電線保持具であって、基部と、間隔をあけて並列状に延びるように前記基部に突設された一対の棒状部とを有する電線受部と、前記一対の棒状部の幅寸法よりも幅広な板状に形成され、前記一対の棒状部に対応する各直線状部分に沿って、前記棒状部を挿入可能な挿入孔を複数有する挿入孔列が設けられると共に、前記各挿入孔列間に切込み部が形成された弾性シート部材と、を備え、前記一対の棒状部をそれぞれに対応する挿入孔列の各挿入孔に刺し通すようにして、前記弾性シート部材が前記電線受部に取付けられたものである。
【００１０】
この場合に、前記切込み部の外側端部は、外方に向けて順次拡開する電線挿入ガイド部を有していてもよい。
【００１１】
また、前記一対の棒状部のうち少なくとも一方は、非円形断面形状に形成され、非円形断面形状を有する前記棒状部が挿入される前記各挿入孔のうち少なくとも一つは、非円形孔形状に形成されていてもよい。
【００１２】
また、この発明に係る電線保持具用の弾性シート部材は、弾性を有する板状部材に形成され、一対の直線状部分に沿って挿入孔を複数有する挿入孔列が設けられると共に、前記各挿入孔列間に切込み部が形成されたものである。
【考案の効果】
【００１３】
この考案の電線保持具によると、基部と、間隔をあけて並列状に延びるように前記基部に突設された一対の棒状部とを有する電線受部自体に関しては、電線を一対の棒状部間に配設して基部上に載置することで電線を保持できるため、コネクタが取付けられている電線端末を所定位置に保持したり、比較的多数の電線を保持するのに適している。そして、例えば、コネクタが取付けられてない電線を保持する場合には、一対の棒状部をそれぞれに対応する挿入孔列の各挿入孔に刺し通すようにして、前記弾性シート部材を前記電線受部に取付ける。これにより、コネクタが取付けられてない電線を切込み部で挟込むようにして保持することができる。このため、コネクタが取付けられてない電線をもしっかりと位置決め保持するための電線保持具を、上記のような電線受部を利用して、比較的簡易かつ低コストで得ることができる。
【００１４】
また、前記切込み部の外側端部が、外方に向けて順次拡開する電線挿入ガイド部を有していると、電線を、電線挿入ガイド部を経て切込み部内に容易に挿入することができる。
【００１５】
さらに、前記一対の棒状部のうち少なくとも一方は、非円形断面形状に形成され、非円形断面形状を有する前記棒状部が挿入される前記各挿入孔のうち少なくとも一つは、非円形孔形状に形成されていると、非円形断面形状を有する棒状部に対する挿入孔の回転が抑制され、電線受部に対する弾性シート部材の姿勢変更を抑制できる。
【００１６】
また、この考案の電線保持具用の弾性シート部材によると、弾性を有する板状部材に形成され、一対の直線状部分に沿って挿入孔を複数有する挿入孔列が設けられると共に、前記各挿入孔列間に切込み部が形成されているため、電線受部の一対の棒状部を挿入孔列の各挿入孔に刺し通すようにして、前記弾性シート部材を前記電線受部に取付けることができる。そして、電線を切込み部で挟込むようにして保持することができる。このため、コネクタが取付けられていない電線をもしっかりと位置決め保持するための電線保持具を、電線受部の一対の棒状部を利用して、比較的簡易かつ低コストで得ることができる。
【考案を実施するための最良の形態】
【００１７】
以下、この考案の実施形態に係る電線保持具について説明する。図１は、電線保持具を示す分解斜視図であり、図２は電線保持具に電線を保持した状態を示す斜視図である。
【００１８】
この電線保持具１０は、自動車等のワイヤーハーネスを組立てるにあたって、ハーネスの組立経路に沿って電線５０を保持するためのものである。
【００１９】
この電線保持具１０は、電線保持本体部１２と、弾性シート部材２０とを備えている。
【００２０】
電線保持本体部１２は、電線５０を保持する電線受部１４と、組立図板又は組立フレーム等に固定される固定部１８とを有している。
【００２１】
電線受部１４は、断面略円形状の金属丸棒等を略Ｕ字状に曲げて形成した部材であり、その略Ｕ字状の底部にある略弧状の基部１５と、その基部１５の両端部より上方に向けて突設された一対の棒状部１６とを有している。この一対の棒状部１６は、間隔をあけて並列状に延びるように設けられている。この一対の棒状部１６間の間隔寸法は、好ましくは、組立対象となるワイヤーハーネスの太径部分の直径寸法と略同じかそれよりも大きくなっている。また、一対の棒状部１６は、それぞれ略同じ長さ寸法を有しており、それぞれの先端部は略半円球状に形成されている。
【００２２】
また、電線受部１４の基部１５の略中央部から一対の棒状部１６の延出方向とは逆方向に向けて固定部１８が突出形成されている。固定部１８は、外周囲にネジ溝を形成したボルト形状に形成されている。この固定部１８を、組立図板又は組立フレーム側のナット部材に螺合させることで、本電線保持具１０が組立図板又は組立フレームに固定されることになる。なお、固定部１８にナット１９が螺合されており、固定部１８へのナット１９の螺合量を調整することで、固定部１８を組立図板又は組立フレーム側のナット部材に螺合させる際の螺合量、即ち、電線保持具１０の固定高さが設定、調整されるようになっている。
【００２３】
このように構成された電線保持本体部１２は、これ単独で、組立図板又は組立フレーム等に固定される。電線保持本体部１２が単独で用いられる場合、通常は、ワイヤーハーネスの組立経路のうち、コネクタ付電線の端末部や経路途中部分を保持する位置に取付けられる。
【００２４】
なお、本実施形態では、基部１５が略弧状形状である例で説明したが、そのような例に限られない。例えば、基部が直線状の部材に形成され、その端部又は途中部分から、基部に対して略直角姿勢で一対の棒状部１６が延出する構成であってもよい。
【００２５】
弾性シート部材２０は、ゴム板等の弾性板状部材により形成された部材である。弾性シート部材２０は、一対の棒状部１６の幅寸方Ｗ１よりも大きな幅寸法Ｗ２を有する略方形板状部材に形成されている。また、上記一対の棒状部１６に対応する各直線状部分Ｌ１，Ｌ２に沿って、挿入孔列２２，２４が設けられている。各挿入孔列２２，２４は、直線状部分Ｌ１，Ｌ２に沿って間隔をあけて形成された複数（ここでは２つ）の挿入孔２２ｈ，２４ｈを有している。
【００２６】
挿入孔２２ｈ，２４ｈは、棒状部１６を挿入可能な形状及び大きさに形成されている。ここでは、挿入孔２２ｈ，２４ｈは、略円形孔形状に形成されている。挿入孔２２ｈ，２４ｈの直径は、棒状部１６の直径と略同じであっても大きくても小さくてもよい。しかし、後述するように弾性シート部材２０を電線受部１４に取付けた状態で、電線５０を切込み部２６に挿入する際に、弾性シート部材２０の挿入孔２２ｈ，２４ｈ部分を棒状部１６の一定位置に保持し得る程度の摩擦力が、棒状部１６と挿入孔２２ｈ，２４ｈとの間に作用していることが好ましい。そのためには、挿入孔２２ｈ，２４ｈの直径は、棒状部１６の直径よりも小さい方が好ましい。
【００２７】
また、弾性シート部材２０には、切込み部２６が形成されている。切込み部２６は、各挿入孔列２２，２４間であって、弾性シート部材２０の各辺のうち上記直線状部分Ｌ１，Ｌ２に略直交する一方側の辺（上側の辺）から他方側の辺（下側の辺）の途中に達する切込み形状に形成されている。また、切込み部２６の外側端部（上側の辺側の端部）は、外方に向けて順次拡開する、より具体的には、略Ｖ字状に拡開する電線挿入ガイド部２６ｇに形成されている。このような切込み部２６は、例えば、カッターの刃やハサミ等を用いて弾性シート部材２０を切断することにより形成される。
【００２８】
このように構成された弾性シート部材２０は、次のようにして電線受部１４に取付けられる。すなわち、一対の棒状部１６をそれぞれに対応する挿入孔列２２，２４の各挿入孔２２ｈ，２４ｈに刺し通すようにしている。より具体的には、各棒状部１６を、対応する挿入孔列２２，２４の各挿入孔２２ｈ，２４ｈのうち切込み部２６の開口とは反対側に位置するものに、弾性シート部材２０の一方面側から他方面側に向けて挿入する。そして、弾性シート部材２０のうち棒状部１６を挿入済の各挿入孔２２ｈ，２４ｈ部分を、各棒状部１６の基端側に移動させる。また、これと前後して、各棒状部１６を、対応する挿入孔列２２，２４の各挿入孔２２ｈ，２４ｈのうち挿入済の各挿入孔２２ｈ，２４ｈの次に位置する各挿入孔２２ｈ、２４ｈに、弾性シート部材２０の他方面側から一方面側に向けて挿入する。なお、各棒状部１６に対応して３つ以上の挿入孔２２ｈ、２４ｈが存在する場合には、上記を繰返して、各棒状部１６を対応する各挿入孔２２ｈ，２４ｈに挿入する。これにより、弾性シート部材２０が電線受部１４に取付けられる。
【００２９】
このように構成された電線保持具１０は、組立図板又は組立フレーム等に固定される。弾性シート部材２０が取付けられた電線保持具１０は、通常では、ワイヤーハーネスの組立経路のうち該ワイヤーハーネスの端末部分、特に、コネクタが取付けられていない電線５０の端部を固定する箇所に設けられる。なお、上記弾性シート部材２０の取付は、電線保持本体部１２を組立図板又は組立フレームに固定した後に行われるものであってもよい。
【００３０】
そして、電線５０を保持するにあたっては、電線５０を、電線挿入ガイド部２６ｇを経由して、切込み部２６内にそれを弾性変形させながら挿入する。この際、電線挿入ガイド部２６ｇは外方に向けて順次拡開する形状に形成されているため、電線５０を電線挿入ガイド部２６ｇに押し当てつつ切込み部２６内に容易に挿入できる。また、切込み部２６内に挿入された電線５０は、切込み部２６の弾性復元力により挟込まれるようにして比較的しっかりと保持される。
【００３１】
この際、電線５０の端末部が弾性シート部材２０のうち凹むように湾曲する側に配設されると共に、電線５０の中間よりの部分が弾性シート部材２０のうち突出するように湾曲する側に配設されるようにすることが好ましい。換言すれば、本電線保持具１０を組立図板又は組立フレームに固定する際、弾性シート部材２０のうち凹むように湾曲する側が組立経路において電線端末部が配設される側に向くような姿勢とされることが好ましい。
【００３２】
これが好ましい理由は以下の通りである。
【００３３】
すなわち、電線５０を切込み部２６から引抜く際、電線端末部には端子等が取付けられているため、端子の破損等を生じないように電線を引抜く必要がある。このため、通常は、電線５０のうち電線保持具１０よりも中間よりの部分を持って引抜くことになる。しかも、電線端末部の端子等を破損させないためには、電線５０のうち電線保持具１０の直ぐ近くの部分を持って切込み部２６の上方に向けて引抜くことが好ましい。
【００３４】
ここで、本電線保持具１０では、弾性シート部材２０のうち凹むように湾曲している側には、棒状部１６が存在しているので、電線５０のうち電線保持具１０の直ぐ近くの部分を持つことは困難である。そこで、電線５０の中間よりの部分が弾性シート部材２０のうち突出するように湾曲する側に配設されるようにすることで、電線５０のうち電線保持具１０よりも中間よりの部分であって電線保持具１０の直ぐ近くの部分を掴んで上方に持上げることが容易となる。
【００３５】
以上のように構成された電線保持具１０によると、基部１５と、間隔をあけて並列状に延びるように基部１５に突設された一対の棒状部１６とを有する電線受部１４自体については、従来の略Ｕ字状の治具と同様に、コネクタ付電線５０又は複数の電線を一対の棒状部１６間に配設して基部１５上に載置することで電線５０を保持できるため、コネクタ付電線５０や比較的多数の電線を所定位置に保持するのに適している。そして、一対の棒状部１６をそれぞれに対応する挿入孔列２２，２４の各挿入孔２２ｈ，２４ｈに刺し通すようにして、弾性シート部材２０を電線受部１４に取付けることで、コネクタに取付けられていない電線５０を切込み部２６で挟込むようにして保持することができる。このため、コネクタに取付けられていない電線５０をもしっかりと位置決め保持するための電線保持具１０を、従来より一般的に用いられてきた構成である電線受部１４を利用して、比較的簡易かつ低コストで得ることができる。
【００３６】
なお、上記実施形態では、棒状部１６は断面略円形状であり、挿入孔２２ｈ、２４ｈは略円形孔であると説明したが、必ずしもその必要はなく、棒状部１６を楕円や多角形状等の非円形断面形状に形成すると共に、これらが挿入される挿入孔２２ｈ、２４ｈを楕円や多角形状等の非円形孔形状に形成してもよい。例えば、図３に示すように、棒状部１１６を楕円形状に形成すると共に、挿入孔１２２ｈ、１２４ｈを楕円孔形状に形成してもよい。このように、少なくとも一つの棒状部１６を断面略非円形状に形成し、その棒状部１６が挿入される挿入孔２２ｈ、２４ｈのうちの少なくとも一つを略非円形孔に形成することで、棒状部１６に対する挿入孔２２ｈ、２４ｈの回転が抑制され、電線受部１４に対する弾性シート部材２０の姿勢変更を抑制できる。なお、この場合において、棒状部１６の断面略非円形状と、挿入孔２２ｈ、２４ｈの略非円形孔形状とは、必ずしも同じ形状でなくともよい。
【図面の簡単な説明】
【００３７】
【図１】電線保持具を示す分解斜視図である。
【図２】電線保持具に電線を保持した状態を示す斜視図である。
【図３】棒状部と挿入孔の変形例を示す図である。
【符号の説明】
【００３８】
１０  電線保持具
１２  電線保持本体部
１４  電線受部
１５  基部
１６，１１６  棒状部
２０  弾性シート部材
２２，２４  挿入孔列
２２ｈ，２４ｈ，１２２ｈ，１２４ｈ  挿入孔
２６  切込み部
２６ｇ  電線挿入ガイド部
５０  電線
【図１】
0003123973.tif 000003
【図２】
0003123973.tif 000004
【図３】
0003123973.tif 000005